(57)【要約】      （修正有）【課題】負担が少なく容易な作業で天井への取り付けができる監視カメラを提供する。【解決手段】端子を有する台座部５１とカメラ装置１を有する本体部５２とを有する構成とされ、台座部５１及び本体部５２が互いを機械的及び電気的に連結する連結手段をそれぞれ備え、台座部５１は、第１の機構係合手段と第１の電気接続手段ＣＮ５１とを有し、本体部５２は、第１の機構係合手段との係合が可能な第２の機構係合手段と第１の電気接続手段ＣＮ５１との直接接続が可能な第２の電気接続手段ＣＮ５２とを有し、先の係合と直接接続とにより連結が行われると共にこの連結が台座部５１と本体部５２との接近により実行される。【選択図】図２
2009130668.tif 000002
【特許請求の範囲】
【請求項１】
ケーブルを接続する端子が設けられた台座部と、カメラ装置を有する本体部と、を有する構成とされ、前記台座部及び前記本体部が、互いを機械的及び電気的に連結する連結手段をそれぞれ備えて成る監視カメラにおいて、
前記台座部は、前記連結手段として、第１の機構係合手段と、第１の電気接続手段と、を有し、
前記本体部は、前記連結手段として、前記第１の機構係合手段との係合が可能な第２の機構係合手段と、前記第１の電気接続手段との直接接続が可能な第２の電気接続手段と、を有し、
前記係合と前記直接接続とにより前記連結が行われると共に、前記連結が前記台座部と前記本体部との接近により実行されるよう構成されたことを特徴とする監視カメラ。
【請求項２】
前記接近において、前記結合よりも前記直接接続が先に実行されることを特徴とする請求項１記載の監視カメラ。
【請求項３】
前記本体部は、
前記台座部と前記本体部との離接方向に移動すると共に、前記移動方向に対応して、前記第２の機構係合手段における前記係合の許容及び禁止を選択的に行う係合禁止手段を備えたことを特徴とする請求項１または請求項２記載の監視カメラ。
【請求項４】
前記第１の電気接続手段及び前記第２の電気接続手段のいずれかが、前記台座部と前記本体部との離接方向に直交する方向に移動可能なよう遊設されていることを特徴とする請求項１乃至３のいずれか１項に記載の監視カメラ。
【請求項５】
前記第１の電気接続手段及び前記第２の電気接続手段のいずれかを、前記両手段の前記直接接続を実行する方向に付勢する付勢手段を備えていることを特徴とする請求項１乃至４のいずれか１項に記載の監視カメラ。
【発明の詳細な説明】
【技術分野】
【０００１】
本発明は監視カメラに係り、特に天井に設置される監視カメラの構造に関する。
【背景技術】
【０００２】
防犯や交通の混雑状況の把握などを目的として監視カメラは様々な場所に設置されている。
一般に、監視カメラとしては、定方向の監視画像を得る固定タイプと、パン及びチルト動作を可能にして広範囲の監視画像が得られる可動タイプと、があるが、後者の可動タイプは、周囲を広く見渡せる場所に設置されるのが望まれるため、天井に設置される場合が多い。
天井に設定される可動タイプの監視カメラは、カメラの存在を意識させないようにするために、また、設置付近の景観品位を損なわせないようにするために、光を透過する半球体状のドームでカメラ部を覆うようにした所謂ドームカメラが主流となっている。
【０００３】
このドームカメラのような監視カメラを天井へ設置する場合、カメラに電源を供給する電源ケーブル及びカメラから出力やカメラを制御する制御信号などを伝送する信号ケーブルを、天井裏から天井に設けた孔を通して、あるいは、天井に沿って配設して（引き回して）カメラに接続するのが一般的である。
この接続の作業、すなわち、天井への設置工事におけるケーブル接続作業を容易にする監視カメラの一例が、特許文献１に記載されている。
【０００４】
【特許文献１】特開平１１−２９８７６６号公報
【発明の開示】
【発明が解決しようとする課題】
【０００５】
この特許文献１に記載された監視カメラは、ケーブルに接続された同軸コネクタを中心部に有し、予め天井に固定された固定具に対して、カメラ本体を押しつけながら回動させることで、コネクタを介しての電気的接続を図りながら機械的なロックをかけることができるものである。すなわち、電気接続と機械的固定とを同時に行うものである。
【０００６】
しかしながら、高所である天井への監視カメラ設置作業は、通常、脚立に乗っての作業となり、その状態で、監視カメラ本体を天井に押しつけ、同時に回動させる、という２つの異なる移動方向に移動させるのは作業者にとって負担の大きい作業であった。
すなわち、カメラ本体を天井に押しつける作業は、その本体を下側から手で支えつつ持ち上げればよいが、カメラ本体を回す作業は、その本体の側面を両手で持ちながら回さなければならない。
従って、作業の途中で手を添える場所を変える必要があって煩わしく、また、誤って落下させないように気を遣う必要もあって、この作業は、肉体的及び精神的負担が極めて大きいものとなっていた。
【０００７】
また、ドームカメラが大型の場合、質量が数ｋｇあるので、脚立に乗りながら、その側面を両手で支えながら回すのは、容易な作業ではない。
さらに、ビルなどにシステムとして監視カメラを設置する場合には、多数の監視カメラを天井に設置することになるので、取り付け作業の肉体的負担は相当に大きい。
【０００８】
そこで、本発明が解決しようとする課題は、負担が少なく容易な作業で天井への取り付けができる監視カメラを提供することにある。
【課題を解決するための手段】
【０００９】
上記の課題を解決するために、本願発明は手段として次の１）〜５）の構成を有する。
１）  ケーブル（ＫＢＬ１，ＫＢＬ２）を接続する端子（ＴＳ１，ＴＳ２）が設けられた台座部（５１）と、カメラ装置（１）を有する本体部（５２）と、を有する構成とされ、前記台座部（５１）及び前記本体部（５２）が、互いを機械的及び電気的に連結する連結手段をそれぞれ備えて成る監視カメラにおいて、
前記台座部（５１）は、前記連結手段として、第１の機構係合手段（９）と、第１の電気接続手段（ＣＮ５１）と、を有し、
前記本体部（５２）は、前記連結手段として、前記第１の機構係合手段（９）との係合が可能な第２の機構係合手段（１７）と、前記第１の電気接続手段（ＣＮ５１）との直接接続が可能な第２の電気接続手段（ＣＮ５２）と、を有し、
前記係合と前記直接接続とにより前記連結が行われると共に、前記連結が前記台座部（５１）と前記本体部（５２）との接近により実行されるよう構成されたことを特徴とする監視カメラ（５０）である。
２）  前記接近において、前記結合よりも前記直接接続が先に実行されることを特徴とする１）に記載の監視カメラ（５０）である。
３）  前記本体部（５２）は、
前記台座部（５１）と前記本体部（５２）との離接方向に移動すると共に、前記移動方向に対応して、前記第２の機構係合手段（１７）における前記係合の許容及び禁止を選択的に行う係合禁止手段（５）を備えたことを特徴とする１）または２）に記載の監視カメラ（５０）である。
４）  前記第１の電気接続手段（ＣＮ５１）及び前記第２の電気接続手段（ＣＮ５２）のいずれかが、前記台座部（５１）と前記本体部（５２）との離接方向に直交する方向に移動可能なよう遊設されていることを特徴とする１）乃至３）のいずれかに記載の監視カメラ（５０）である。
５）  前記第１の電気接続手段（ＣＮ５１）及び前記第２の電気接続手段（ＣＮ５２）のいずれかを、前記両手段の前記直接接続を実行する方向に付勢する付勢手段（１３）を備えていることを特徴とする１）乃至４）のいずれかに記載の監視カメラ（５０）である。
【発明の効果】
【００１０】
本発明によれば、監視カメラの天井へ取り付け作業において、作業者の負担が少なく、容易に取り付けができる、という効果を奏する。
【発明を実施するための最良の形態】
【００１１】
本発明の実施の形態を、好ましい実施例により図１〜図１６を用いて説明する。
【００１２】
図１は、天井Ｃに取り付けた本発明の実施例となる監視カメラ５０を、斜め下方から見上げた斜視図である。
すなわち、この監視カメラ５０は、扁平の円筒状の台座部５１とこれに被さるように装着される本体部５２とを有しており、台座部５１は天井Ｃに固定され、この台座部５１に対して下方（地面側）から本体部５２が取り付けられるように構成されている。
【００１３】
また、本体部５２は、台座部５１の外径より大きい内径を有する円筒状の胴部５２Ａと、光透過性を有して半球状に形成されたドーム部５２Ｂとを組み合わせて構成される。
このドーム部５２Ｂの内部には、撮像レンズ１ａを備えたカメラ装置１と、このカメラ装置１をパン動作及びチルト動作させるパンチルト駆動部２と、が配設されている。
カメラ装置１は、ドーム部５２Ｂの外側からその内側に入来する光を撮像して映像信号を出力する。そして、撮像しつつパンチルト駆動部２によってパン動作及びチルト動作が行われるので、この実施例の監視カメラ５０は、広範囲の周囲風景を撮影してその映像信号を外部に出力することができる。
【００１４】
胴部５２Ａの側周面における天井Ｃ側には、概ね矩形に開口した開口部３が形成されている。この開口部３からは、胴部５２Ａの内部に配設された係止解除ボタン４とロックノブ５とが臨まれる。
この開口部３は、互いに１８０°離れた位置に、一対設けられており、他方（図１における不図示の奥側）の開口部３からも、同様構造とされた係止解除ボタン４とロックノブ５とが臨まれる。
【００１５】
次に、監視カメラ５０の概略構成を、模式的構造図である図２を用いて説明する。
【００１６】
天井Ｃには、孔Ｃ１が形成されており、この孔Ｃ１を通して天井裏から電源ケーブルＫＢＬ１と信号ケーブルＫＢＬ２とが外部に引き出されている。
この孔Ｃ１を塞ぐように、台座５１は、図示しない３箇所のネジにより天井Ｃに固定されている。
【００１７】
台座５１の内部には、配線基板ＰＢが配設されている。
この配線基板ＰＢにおける天井Ｃ側の面には、電源ケーブルＫＢ１が接続される電源端子ＴＳ１と、信号ケーブルＫＢ２が接続される信号出力端子ＴＳ２とが実装されている。
これ以外に、カメラ装置１の中心軸ＣＬ回りのパン動作（矢印Ｐ方向の動作）及びチルト動作（矢印Ｔ方向の動作）などを制御する制御ケーブルを接続する制御端子などが実装されていてもよい。
【００１８】
また、この監視カメラ５０には、配線基板ＰＢからパンチルト駆動部２のパン用モータＰＭ及びチルト用モータＴＭに供給する電源と、カメラ装置１からの出力信号と、を台座部５１と本体部５２との間で相互連結するレセプタクルＣＮ５１とプラグＣＮ５２との組であるコネクタ部ＣＮが備えられている。このコネクタＣＮとして、例えば、ヒロセ電機株式会社製のＱＲ／Ｐ１シリーズ角型コネクタを用いることができる。
具体的には、レセプタクルＣＮ５１は台座５１側に設けられ、プラグＣＮ５２は、本体部５２側に設けられている。このコネクタ部ＣＮ及びその近傍の構造についての詳細は後述する。
【００１９】
次に、台座部５１について、図３を用いて説明する。
【００２０】
台座部５１は、略円盤状の基部を有してアルミダイキャストで形成されたベース６と、このベース６に被せるように取り付けられ、樹脂材料で概ねカップ状に形成されたカップ部７とを備えている。
ベース６の天面６ｔには、凹部６ｂが形成されており、その凹部６ｂに電源端子ＴＳ１や信号出力端子ＴＳ２が設けられている。
また、ベース６は、その外周部にねじ固定用孔６ａを、周方向に離隔して３箇所有している。図３では、その内の一つを示している。
【００２１】
このねじ固定用孔６ａに雄ねじ８を通せるように、カップ部７には、各ねじ固定用孔６ａに対応して、半円筒形状で天地方向にえぐれて延在する誘い凹部７ａが設けられている。
この誘い凹部７ａは、この台座部５１に本体部５２を取り付けの際、後述する柱状ボス１６を誘って中心軸ＣＬまわりの周方向の位置決めとなるものである。
【００２２】
また、台座部５１の周面には、その中心に対して互いに１８０°離れた位置に、それぞれ略コ字状のフック９が図示しないねじにより固定されている。このねじは、ベース６に設けられた雌ねじ（図示せず）に対して図３の下方側からねじ込まれている。
【００２３】
図４はそのフック９の斜視図であり、図４（ａ）と図４（ｂ）とは、それぞれ反対となる側から見た斜視図である。
【００２４】
図４において、フック９は、鉄板のプレス及び曲げ加工により形成されており、矩形の切り欠き部９ｋを有する基部９ａと、基部９ａの３辺からそれぞれ立ち上げられた、上フランジ９ｂ及び一対の側面フランジ９ｃ，９ｄとを有している。
【００２５】
上フランジ９ｂには、孔９ｂ１が設けられおり、この孔９ｂ１に雄ねじが通されてベース６の雌ねじにねじ込まれることで、フック９はベース６に固定されている。
側面フランジ９ｃ，９ｄは、それぞれ、上フランジ９ｂに対して遠い側から立ち上げ量が増加するように形成された傾斜部９ｅと、この傾斜部９ｅに連続し基部９ａに直交する方向の端面を有する段部９ｆと、を備えて半矢印形状に形成されている。
このフック部９は、本体部５２に対して、段部９ｆが内側に位置する姿勢で固定されている。
【００２６】
図３に戻り、台座部５１の天井Ｃの反対側となる面である下面５１ｂ、すなわち、カップ部７の底面７ｂには、開口部７ｃが形成されている。
この開口部７ｃからは、レセプタクルＣＮ５１が臨まれる。このレセプタクルＣＮ５１は、後述するフローティング構造により、フローティングされている。
【００２７】
監視カメラ５０の天井Ｃへの設置においては、まず上述した台座部５１を天井Ｃに固定する作業を行う。
その作業に際して、天井Ｃには、この監視カメラ５０を設置する位置に、予め上述した孔Ｃ１を設けておく。
さらに、この監視カメラ５０を制御する制御装置や電力を供給する電源（各図示せず）は、通常、別の制御室などに設置されており、また、その制御装置及び電源とそれぞれ接続された電源ケーブルＫＢＬ１及び信号ケーブルＫＢＬ２は天井裏に配線されているので、これらケーブルを、この孔Ｃ１から引き出しておく。
そして、台座部５１を天井Ｃに固定する段において、電源ケーブルＫＢＬ１及び信号ケーブルＫＢＬ２を、それぞれ電源端子ＴＳ１及び信号出力端子ＴＳ２に接続し、各ねじ固定用孔６ａを通して雄ねじ８を天井にねじ込んでベース６を天井Ｃに固定する。
【００２８】
ベース６の天面６ｔと天井とはほぼ密着するが、各ケーブルＫＢＬ１，ＫＢＬ２は、凹部６ｂ内に収めることができるので、この密着がケーブル各ＫＢＬ１，ＫＢＬ２によって妨げられることはない。
また、この凹部６ｂは、各ケーブルが天井Ｃ面を引き回されている場合には、監視カメラ５０としてのケーブル受け口として機能する。
【００２９】
次に、レセプタクルＣＮ５１のフローティング構造について詳述する。
図５に、このフローティング構造を模式的に示している。図３との対応で説明すると、レセプタクルＣＮ５１の長手に沿う側面と、フック９の側面フランジ９ｄの側面と、を便宜的に並べて示している。
【００３０】
この図５において、ベース６にはブラケット１０が固定されている。このブラケット１０は、ベース６と一体的にダイキャストで形成されているものでもよい。
ブラケット１０には、天地方向（図５の上下方向）に直交する方向に延在する棚部１０ａが形成されている。
【００３１】
棚部１０ａには、拡径された頭部１１ａを有する一対の段付きねじ１１が、互いに平行で地方向に延出するように螺着されている。
また、一枚の固定プレート１２には、段付きねじ１１を遊嵌状態で挿通する孔が一対設けられており、この各孔に段付きねじ１１が挿入され、段付きねじ１１に沿って（図のＤ１方向）移動可能なように取り付けられている。
【００３２】
レセプタクルＣＮ５１は、略直方体のベース部ＣＮ５１ａと、ベース部ＣＮ５１ａよりも小さい外形を有してベース部ＣＮ５１ａから突出（図５では下方に向けて）する結合部ＣＮ５１ｂとを有して形成されている。
固定プレート１２には、ベース部ＣＮ５１ａが雄ねじ２５によりねじ止めされ、その固定プレート１２とレセプタクルＣＮ５１とは一体化されている。
【００３３】
従って、レセプタクルＣＮ５１は、プラグＣＮ５２との挿抜方向に対して直交する方向に揺動可能、かつ、その挿抜方向に移動可能な状態で、開口部７ｃ（図３参照）から臨まれるように取り付けられている。
【００３４】
一方、各段付きねじ１１には、固定プレート１２ａの上面１２ｊと棚部１０ａの下面１０ａ１とに渡るコイルばね１３が装着されている。
このコイルばね１３は、ベース部ＣＮ５１ａをＤ２方向に常に付勢するので、レセプタクルＣＮ５１は、通常、そのベース部ＣＮ５１ａが固定プレート１２に当接する位置に置かれている。
【００３５】
従って、レセプタクルＣＮ５１は、段付きねじ１１に対して、長手方向及び短手方向にがたを有して嵌合し、フローティング状態となっている。
【００３６】
次に、本体部５２の構造について図６，図７を用いて詳述する。
図６は、ドーム部５２Ｂを外した状態の本体部５２を示す斜視図である。
【００３７】
胴部５２Ａは、アルミダイキャストで形成され、円盤状の胴ベース１４と、その外周から一方向（図６の上方向）に立ち上がる周壁部１５とを有して形成されている。
また、胴ベース１４の他方向側には、パンチルト駆動部２及びカメラ装置１が取り付けられている。
周壁部１５の内径は、台座部５１の外径より大きく設定されており、本体部５２を台座部５１に装着した際に、台座部５１が周壁部５１の内部に収容されるようになっている。
【００３８】
胴ベース１４には、一方向側に柱状に立設する柱状ボス１６が周方向に離隔して３カ所設けられている（図６にはそのうち一つを示す）。
この３つの柱状ボス１６は、台座部５１側の誘い凹部７ａに係合して、その誘い凹部７ａと共に、台座部５１に対する本体部５２の中心軸ＣＬまわりの位置決め手段となるものである。
【００３９】
また、胴ベース１４には、プラグＣＮ５２が固定されている。このプラグＣＮ５２は、上述した位置決め手段により、台座部５１に対する本体部５２の周方向の位置決めがなされた際に、レセプタクルＣＮ５１と結合可能な位置に配設されている。
また、同じく位置決めがなされた際に、台座部５１側のフック部９と対応する位置に、上述した開口部３，係止解除ボタン４，及びロックノブ５が設けられている。
フック部９，係止解除ボタン４，ロックノブ５は、台座部５１と本体部５２とを機械的に連結する連結手段ＲＳとして機能する。以下の説明においては、便宜的に、本体部５２側のみについても連結部ＲＳと称する。
【００４０】
次に、図７を用いてこの連結手段ＲＳの構成について詳述する。
図７は、本体部５２からドーム部５２Ｂ，カメラ装置１，及びパンチルト駆動部２を取り除いた状態を示した斜視図である。
さらに、図７（ａ）は、連結手段ＲＳ及びその近傍を内方から見た図であり、図７（ｂ）は、周壁部１５を一部切断して連結手段ＲＳ及びその近傍を外方から見た図である。
【００４１】
図７（ｂ）において、係止解除ボタン４は、窓部４ａを有する枠体として樹脂材料により形成されている。また、その縁部には、外方に延出するフランジ４ｄが形成されている。
【００４２】
係止解除ボタン４は、周壁部１５の開口部３から望まれる側の面である外面において、フランジ４ｄが周壁部１５の内面に当接した状態で、周壁部１５の外面からやや突出するように高さが設定された突出部４ｂが、窓部４ａを挟んで一対形成されている。
この係止解除ボタン４は、作業者が指で胴部５２Ａの内方に押し込む部材であり、突出部４ｂが設けられていることで、その指による押し込みが容易になっている。
【００４３】
係止解除ボタン４の内面には、凸部４ｃ１を有する係止片４ｃが、突出して一対形成されている。
この係止片４ｃは、その凸部４ｃ１が掛け金１７の孔１７ａに係合するようにその位置と形状とが設定されており、これにより、解除ボタン４は掛け金１７に取り付けられている。
【００４４】
その掛け金１７は、図７（ａ）に示すように、金属板のプレス及び曲げ加工によって、基板１７ｋとその基板１７ｋから折り曲げられた対向する一対の側板１７ｂとを有する略Ｌ字状に形成されている。
基板１７ｋには、孔１７ａのほかに、各側板１７ｂの根本近傍に一対の長孔１７ｃが設けられている。この長孔１７ｃには、台座部５１側のフック９の段部９ｆが係合する。
【００４５】
また、各側板１７ｂには、同じ軸ＣＬ２を有する軸孔１７ｂ１が形成されている。
この軸孔１７ｂ１には、シャフト１８が回動自在に挿通されている。
また、このシャフト１８は、胴ベース１４に固定されているブラケット１９に設けられた一対の孔１９ａにも回動自在に挿通されている。
【００４６】
従って、掛け金１７は、胴ベース１４に対し、シャフト１８の軸ＣＬ２まわり（図７のＤ３方向）に回動自在とされている。
また、その回動は、Ｄ３の時計回り方向については、係止解除ボタン４のフランジ４ｄが周壁部１５の内面１５ａに当接してそれ以上の回動が規制され、反時計回り方向については、側板１７ｂが胴ベース１４に当接してそれ以上の回動が規制されている。
【００４７】
さらに、シャフト１８には、捻りコイルばね２０が装着されている。
その捻りコイルばね２０の２つの腕２０ａ，２０ｂは、それぞれ掛け金１７の基板１７ｋと胴ベース１４に係止されており、その捻りコイルばね２０によって掛け金１７は、回動方向Ｄ３の時計回り方向に常に付勢されている。
すなわち、周壁部１５の開口部３からは、通常状態において、係止解除ボタン４の突出部４ｂが若干外側に突出するようになっている。
そして、この係止解除ボタン４を内方に押し込む際には、捻りコイルばね２０の弾性反発力に依存した所定の抗力が生じるように構成されている。
【００４８】
一方、係止解除ボタン４と掛け金１７との間には、所定の空間が設けられている。
この空間に、ロックノブ５が収められている。
そして、係止解除ボタン４と掛け金１７とロックノブ５とは、一つのアッセンブリ（以下、掛け金アッシーＫＳとも称する）を構成している。この掛け金アッシーＫＳについて、図８〜図１０を用いて以下に詳述する。
【００４９】
まず、図８において、係止解除ボタン４とロックノブ５との組み合わせについて説明する。
図８（ａ）は、それぞれの斜視図を示している係止解除ボタン４についての形状などについては概要を上述しており一部重複するが、詳細を以下に説明する。また、各図（ａ）〜（ｃ）においては、左手前側が、図７における天側、右手奥側が、地側に対応する。
【００５０】
係止解除ボタン４は、係止片４ｃが形成されている側においてさらに胴枠部４ｅが形成されている。
そして、この胴枠部４ｅの地側には、フランジ４ｄに沿い、その胴枠部４ｅの途中まで切り欠かれたスリット４ｆが形成されている。
【００５１】
ロックノブ５は、平板状の基部５ａとこの基部５ａから直交方向に立ち上がるノブ部５ｂとを有し、樹脂材料により形成されている。
また、基部５ａの中心線上には、リブ５ｃが形成されている。このリブ５ｃは、解除ボタン４において中心線上に形成された溝部４ｇに係合して、両者の中心位置出しがされる。
基部５ａの両隅部は、矩形に切り欠かれて段部５ｄが形成されており、この段部５ｄにより、基部５ａの両端側は細幅の翼部５ｅとされている。
【００５２】
このロックノブ５は、そのノブ部５ｂを、係止解除ボタン４の窓部４ａから臨ませるように基部５ａをスリット４ｆに挿入することで、係止解除ボタン４と組み合わされる。この組み合わせを、以下、ロックノブアッシーＮＳとも称する。
この組み合わせ状態は、図８（ｂ），（ｃ）に示され、この状態で、ロックノブ５のノブ部５ｂは、係止解除ボタン４に対してその窓部４ａ内を天地方向に移動可能とされる。
すなわち、ロックノブ５は、図８（ｂ）に示すロック位置と図８（ｃ）に示すアンロック位置との間を移動可能とされる。
【００５３】
ここで、開口部３から臨まれる係止解除ボタン４とロックノブ５とについては、係止解除ボタン４の２つの突出部４ｂとノブ部５ｂとが、３つの突出した部分として外部から認識される。
この３つの突出部は、ロック位置において開口部３内の地面側に一直線状の横並びで揃い、アンロック位置においては、ノブ部５ｂが開口部４内の天側に移動しているので横並びとならない。
従って、外観上、ロック状態にあるのかロックが解除されたアンロック状態にあるのかが見た目で容易に認識できるので、後述する取り付け作業の効率がより向上する。
【００５４】
このように組み合わされた解除ボタン４及びロックノブ５は、掛け金１７に対して図９に示すように組み合わされる。
【００５５】
まず、掛け金１７は、上述したように、その基部１７ｋにおいて孔１７ａが形成されているが、さらに雌ねじ１７ｋ１及びハーフパンチ１７ｋ２が設けられている。
また、この雌ねじ１７ｋ１に螺合する雄ねじ２２により、りん青銅板などのばね材よりなる板ばね２１が、ハーフパンチ１７ｋ２を利用して位置決めされつつ基部１７ｋにねじ止めされている。
【００５６】
そして、この板ばね２１を押しつけるようにしてロックノブアッシーＮＳはその係止片４ｃが孔１７ａに係合するように嵌め込まれる。これにより、掛け金アッシーＫＳが組み立てられる。
ここで、ロックノブ５の掛け金１７側の面には、そのロックノブ５を天地方向にスライドさせた際のロック位置とアンロック位置とにおいて板ばね２１が当接する位置に、それぞれ板ばね２１が軽く係合する係合溝５ｆ１，５ｆ２〔図８（ａ）参照〕が形成されている。
この係合溝５ｆと板ばね２１との係合により、ロック位置及びアンロック位置においてロックノブ５のスライド動作にクリック感が生じ、後述するロック操作が良好に品位良く行える。
【００５７】
組み立てた掛け金アッシーＫＳの斜視図を図１０に示す。
また、この掛け金アッシーＫＳの胴ベース１４への組み付けを説明する組み付け図を図１１に示す。
【００５８】
図１１において、掛け金アッシーＫＳの軸孔１７ｂ１と捻りコイルばね２０とブラケット１９の孔１９ａとにシャフト１８を挿通する。そして、雄ねじ２３により、胴ベース１４に形成された雌ねじ２４に対してブラケット１９を共締めすることで、掛け金アッシーＫＳは、ブラケット１９を介して胴ベース１４に固定される。
この固定位置において、係止解除ボタン４とロックノブ５のノブ部５とが、周壁部１５の開口部３から臨めるようになり、さらに、ロックノブ５は、そのノブ部５ｂの開口部３内の移動範囲内でのロック位置とアンロック位置との間を、天地方向に移動可能となっている。
【００５９】
ここで、周壁部１５の内面１５ａには、開口部３の下方側近傍を起点として胴ベース１４に至るように延在する、断面Ｌ字状のロックリブ２４が、開口部３を挟んで互いに対向する形状にて一対設けられている。
そして、ロックノブ５がロック位置（図１１の下方側）にあるときには、その翼部５ｅがロックリブ２４と周壁部１５の内面１５ａとの間の半袋状の空間Ｓに入り込み（図１１の詳細Ａ参照）、アンロック位置（図１１の上方側）にあるときには、翼部５ｅがロックリブ２４の起点となる端面２４ａよりも上に位置して半袋状の空間Ｓから脱する（図１１の詳細Ｂ参照）ようにそれぞれの形状が設定されている。
【００６０】
すなわち、ロックノブ５がロック位置にあるときに、係止解除ボタン４を内方に押し込もうとすると、係止解除ボタン４と一体になっているロックノブ５の翼部５ｅが空間Ｓ内にあってロックリブ２４に当接し、係止解除ボタン４の回動が禁止されてそれを押し込むことができない。
一方、ロックノブ５がアンロック位置にあるときには、係止解除ボタン４を内方に押し込もうとすると、ロックノブ５の翼部５ｅは、空間Ｓから脱しているので、ロックリブ２４には当接せず、解除ボタン４の回動が許容されて押し込むことができる。
【００６１】
以上詳述した本体部５２を台座部５１に取り付ける際には、まず、電気的接続がされ、その後に機械的な連結が行われるようになっているので、これについて模式図である図１２〜図１５を用いて時系列的に説明する。
【００６２】
この取り付け作業を行うにあたり、ロックノブ５をアンロック位置にスライド移動させて掛け金アッシーＫＳが内方に回動可能なようにしておく。
【００６３】
図１２（ａ）は、天井Ｃに取り付けられた台座部５１に、これから本体部５２を装着しようとしている第１段階を示す。
図１２（ｂ）は、台座部５１の一部が本体部５２の胴部５２Ａ内に収められた第２段階を示す。
図１２（ｃ）は、台座部５１全体が胴部５２Ａ内に収められて装着が完了した第３段階を示している。
【００６４】
第１段階の本体部５２について、模式図である図１３を用いて説明する。
【００６５】
上述したように、掛け金１７は、捻りコイルばね２０の付勢力により矢印Ｄ３の時計回り方向に付勢され、係止解除ボタン４のフランジ４ｄが周壁部１５の内面１５ａに当接している。
また、胴ベース１４には、プラグＣＮ５２が固定されている。
このプラグＣＮ５２は、ベース部ＣＮ５２ａと、そのベース部ＣＮ５２ａから突出する結合部ＣＮ５２ｂとを有して形成されている。胴ベース１４には、ベース部ＣＮ５２ａがねじなどにより固定されている。
【００６６】
第２段階の本体部５２と台座部５１とについて、同じく模式図である図１４を用いて説明する。
【００６７】
第２段階は、天井Ｃに固定された台座部５１に対して、地面側から本体部５２を持ち上げて装着する途中の、周壁部１５内に台座部５１の一部が収容された状態である。
この状態において、掛け金１７はフック９に向かって接近しているものの、まだ当接には至っていない。
一方、プラグＣＮ５２の結合部ＣＮ５２ｂは、レセプタクルＣＮ５１の結合部ＣＮ５１ｂに嵌合して結合状態に入っている。
【００６８】
ここで、プラグＣＮ５２とレセプタクルＣＮ５１との結合力よりもコイルばね１３の付勢力が強くなるようにばね定数を設定してあるので、コイルばね１３が圧縮されることなくプラグＣＮ５２とレセプタクルＣＮ５１とは結合状態に達する。
このプラグＣＮ５２とレセプタクルＣＮ５１との結合は、レセプタクルＣＮ５１がプラグＣＮ５２の誘いとなる面取りを有し、さらにレセプタクルＣＮ５１をフローティング状態としていることにより、自己誘導で確実に行われる。
【００６９】
第２段階からさらに本体部５２を持ち上げると、コネクタ部ＣＮの結合は既に完了しているので、プラグＣＮ５２に押されてレセプタクルＣＮ５１がコイルばね１３を圧縮しつつ段付きねじ１１に沿って上昇する。
一方、掛け金１７も上昇してその先端がフック９の傾斜部９ｅに当接し、更なる上昇により傾斜部９ｅに倣って回動方向Ｄ３における反時計回り方向に回動する。
そして、フック９の段部９ｆの先端９ｇが掛け金１７の長孔１７ｃに入り込むと、掛け金１７ｃは、捻りコイルばね２０の付勢力によるＤ３の時計回り方向への回動が許容され、段部９ｆが長孔１７ｃに係合する。この状態が、台座部５１と本体部５２との結合が完了した第３段階であり、図１５に示される。
【００７０】
この第３段階の本体部５２と台座部５１とについて図１５を用いて説明する。
【００７１】
レセプタクルＣＮ５１の上昇は完了し、コイルばね１３は所定のストローク分圧縮されている。
また、フック９の段部９ｆが掛け金１７の長孔１７ｃに係合しているので、本体部５２から手を離しても本体部５２が台座部５１から離れて地方向に落下することはない。
【００７２】
ただ、この状態で、何らかの理由で係止解除ボタン４が内方に押されると、フック９と掛け金１７との係合が解除してしまうおそれがある。
そこで、取り付け作業が完了した段階、あるいは、監視カメラとしての動作チェックを終えた段階で、上述したように、ロックノブ５を地面側にスライド移動させて、掛け金１７の内方への回動を禁止することができる。
【００７３】
以上、詳述したように、実施例の監視カメラ５０は、台座部５１を天井Ｃに固定した後の本体部５２の取り付け作業において、ねじなどを使うことがなく、単に上方に持ち上げるという一方向の動作のみで、台座部５１への本体部５２の装着が完了する。
従って、本体を下側から手で支えつつ持ち上げるだけでよいので、持ち変えるなどの煩わしい作業ではなく、誤って落下させないように気を遣う程度もわずかでよいので、作業として肉体的にも精神的にも負担が少なくて済む。
【００７４】
また、ドームカメラが大型であったり、重いものであっても、これを両手で支えて回すことがないので、作業が容易である。
【００７５】
さらに、ビルなどへの監視システム納入において、多数の監視カメラを天井に設置する場合においても、取り付け作業の肉体的負担は従来と比べて大幅に低減される。
【００７６】
また、実施例の監視カメラ５０においては、機械的固定に至る前にコネクタ部ＣＮでの電気的接続がなされるので、取り付け作業の流れにおいて、天井裏の誤配線や、カメラ装置側の動作に不具合がある場合も、いち早くそれを検出することができ、作業効率の向上が図れる。
【００７７】
また、上述した実施例においては、その電気的接続のみが完了する第２段階での台座部５１と本体部５２との係止構造は説明していないが、掛け金１７を台座部５１側に延長し、長孔１７ｃに加えて、第２段階でフック９と係合する補助長孔１７ｄを設けて、第２段階で仮止めできるようにするのは、もちろん好ましいものである（図１６参照）。
この仮止めは、本体部を手で軽く支える程度の係止力を発揮するものでもよく、手を離しても落下しない程度の係止力を発揮するものとしてもよい。
【００７８】
上述した実施例のカメラ装置５０は、ロックノブ５のスライド方向を天地方向としている。すなわち、本体部５２の台座部５１への取り付け方向（天地方向）と同じ方向でロックまでも可能とするものである。
このように、取り付け作業をすべて一方向の動作だけで完了させることができるので、作業効率が大幅に向上するばかりでなく、いわゆるポカミスなどの誤作業の発生を未然に防止することができ、作業性に加え、安全性の面でも優れた効果を発揮する。
【００７９】
また、プラグＣＮ５２とレセプタクル５１との結合が、付勢部材（コイルばね１３）により常に付勢状態となっているので、その電気的接続の信頼性は極めて高い。
【００８０】
本発明の実施例は、上述した構成に限定されるものではなく、本発明の要旨を逸脱しない範囲において変形例としてもよいのは言うまでもない。
【００８１】
実施例の監視カメラ５０は、パンチルト動作をしないものでもよいことは言うまでもない。
また、実施例の監視カメラ５０は、上述した構造からして、外形が円筒状でなくてもよいことは容易に理解される。
すなわち、多角柱や楕円柱の筒状やその他の異形の筒状としてもよく、いずれの場合においても、同様の効果を奏することは言うまでもない。
実施例においては、レセプタクルＣＮ５１側をフローティング状態としているが、プラグＣＮ５２側を、あるいは両方をフローティング状態としてもよい。
【図面の簡単な説明】
【００８２】
【図１】本発明の監視カメラの実施例を示す外観斜視図である。
【図２】本発明の監視カメラの実施例における概略構成を説明するための図である。
【図３】本発明の監視カメラの実施例における台座部の天井への取り付けを説明するための図である。
【図４】本発明の監視カメラの実施例における台座部側の要部材を説明するための図である。
【図５】本発明の監視カメラの実施例における台座部の概略構成を説明するための模式図である。
【図６】本発明の監視カメラの実施例における本体部を示す外観斜視図である。
【図７】本発明の監視カメラの実施例における本体部の要部を説明するための図である。
【図８】本発明の監視カメラの実施例における本体部側の要部材を説明するための第１の図である。
【図９】本発明の監視カメラの実施例における本体部側の要部材を説明するための第２の図である。
【図１０】本発明の監視カメラの実施例における本体部側の要部材を説明するための第３の図である。
【図１１】本発明の監視カメラの実施例における本体部側の要部材の取り付けを説明するための図である。
【図１２】本発明の監視カメラの実施例における本体部の台座部への取り付け作業段階について説明する図である。
【図１３】本発明の監視カメラの実施例における本体部の台座部への取り付け作業段階について説明する第１の模式図である。
【図１４】本発明の監視カメラの実施例における本体部の台座部への取り付け作業段階について説明する第２の模式図である。
【図１５】本発明の監視カメラの実施例における本体部の台座部への取り付け作業段階について説明する第３の模式図である。
【図１６】本発明の監視カメラの実施例における要部の変形例を説明する斜視図である。
【符号の説明】
【００８３】
１  カメラ装置
１ａ  撮像レンズ
２  パンチルト駆動部
３  開口部
４  係止解除ボタン
４ａ  窓部
４ｂ  突出部
４ｃ  係止片
４ｃ1  凸部
４ｄ  フランジ
４ｅ  胴枠部
４ｆ  スリット
４ｇ  溝部
５  ロックノブ
５ａ  基部
５ｂ  ノブ部
５ｃ  リブ
５ｄ  段部
５ｅ  翼部
５ｆ１，５ｆ２ベース  係合溝
６  ベース
６ａ  ねじ固定用孔
６ｂ  凹部
６ｔ  天面
７  カップ部
７ａ  誘い凹部
７ｂ  底面
７ｃ  開口部
８  雄ねじ
９  フック
９ａ  基部
９ｂ  上フランジ
９ｂ１  孔
９ｃ，９ｄ  側面フランジ
９ｅ  傾斜部
９ｆ  段部
９ｇ  先端
１０  ブラケット
１０ａ  棚部
１０ａ１  下面
１１  スタッド
１１ａ  頭部
１２  固定プレート
１２ｊ  上面
１３  コイルばね
１４  胴ベース
１５  周壁部
１５ａ  内面
１６  柱状ボス
１７  掛け金
１７ａ  孔
１７ｂ  側板
１７ｂ１  軸孔
１７ｃ  長孔
１７ｄ  補助長孔
１７ｋ  基板
１７ｋ１  雌ねじ
１７ｋ２  ハーフパンチ
１８  シャフト
１９  ブラケット
１９ａ  孔
２０  捻りコイルばね
２０ａ  腕
２１  板ばね
２２，２３  雄ねじ
２４  ロックリブ
２４  端面
２５  ねじ
５０  監視カメラ
５１  台座部
５１ｂ  下面
５２  本体部
５２Ａ  胴部
５２Ｂ  ドーム部
Ｃ  天井
Ｃ１  孔
ＣＮ  コネクタ部
ＣＮ５１  レセプタクル
ＣＮ５１ａ  ベース部
ＣＮ５１ｂ  結合部
ＣＮ５２  プラグ
ＰＢ  配線基板
ＫＢ１  電源ケーブル
ＫＢ２  信号ケーブル
ＫＳ  掛け金アッシー
ＮＳ  ロックノブアッシー
ＲＳ  連結手段
ＴＳ１  電源端子
ＴＳ２  信号出力端子
ＴＭ，ＰＭ  チルト用モータ，パン用モータ
【図１】
2009130668.tif 000003
【図２】
2009130668.tif 000004
【図３】
2009130668.tif 000005
【図４】
2009130668.tif 000006
【図５】
2009130668.tif 000007
【図６】
2009130668.tif 000008
【図７】
2009130668.tif 000009
【図８】
2009130668.tif 000010
【図９】
2009130668.tif 000011
【図１０】
2009130668.tif 000012
【図１１】
2009130668.tif 000013
【図１２】
2009130668.tif 000014
【図１３】
2009130668.tif 000015
【図１４】
2009130668.tif 000016
【図１５】
2009130668.tif 000017
【図１６】
2009130668.tif 000018